(57)【要約】      （修正有）【課題】ガスの補集量を維持するべく、パイプラインを伸ばす場合には、パイプラインの延長に伴う工事費用が膨らむと共に、メンテナンス費用が増加するという問題があった。パイプラインの距離を最小限にする発電設備を提供する。【解決手段】ゴミ埋立地１，５，６で発生するガスを発電利用する発電手段１２を洋上で浮遊式にし、発電手段１２をゴミ埋立地１，５，６の展開に伴って移動可能に構成した。これにより、発電手段１２をゴミ埋立地１，５，６の展開に伴って移動させるので、発電手段１２をゴミ埋立地１，５，６の隣接位置に配置してパイプライン３，３ａの距離を最小限にすることができる。【選択図】図１
2005194950.tif 000002
【特許請求の範囲】
【請求項１】
ゴミ埋立地で発生するガスを発電利用する発電手段を洋上で浮遊式にし、前記発電手段をゴミ埋立地の展開に伴って移動可能に構成したことを特徴とする発電設備。
【請求項２】
発電手段をゴミ埋立地の隣接位置に仮固定すると共に、発電手段とゴミ埋立地をパイプラインを介して接続した請求項１記載の発電設備。
【請求項３】
発電手段を牽引もしくは自走により移動可能にした請求項１又は２記載の発電設備。
【発明の詳細な説明】
【技術分野】
【０００１】
本発明は、ゴミ埋立地で発生するメタンガスを発電利用する発電設備に関するものである。
【背景技術】
【０００２】
図２は従来の発電設備を示す概略図であり、海の一部を埋め立てて形成されるゴミ埋立地１には、一般ゴミ等から発生するメタンガス等のガスを発電利用する発電設備２を備えている。
【０００３】
発電設備２は、ゴミ埋立地１の地中から噴出するガスを捕集するパイプライン３と、パイプライン３から送給されたガスを燃焼させる発電手段４のボイラ（図示せず）と、ボイラの熱により発電する発電手段４のタービン（図示せず）とを備えて適宜発電し、電気をゴミ埋立地１の設備に使用したり、ゴミ埋立地１の外部へ送電している。なお、図２中、５は新たに生じる他のゴミ埋立地、６は更に新たに生じる別のゴミ埋立地、７は陸地、８は運河を示している。
【０００４】
又、ゴミ埋立地１から生じるガスの放出量は、１５〜２０年程度維持して徐々に低下する一方で、他のゴミ埋立地５，６は新たに沖合いに形成されるため、ガスの捕集量を維持するべく、パイプライン９を適宜伸ばしている。
【０００５】
なお、ゴミの埋立地でなく、洋上で構成される発電設備に関しては、海底火山を利用した人工島がある（例えば、特許文献１参照）。
【特許文献１】特開２００３−１７２２４７号公報
【発明の開示】
【発明が解決しようとする課題】
【０００６】
しかしながら、ガスの捕集量を維持するべく、パイプライン９を伸ばす場合には、パイプライン９の延長に伴う工事費用が膨らむと共に、メンテナンス費用が増加するという問題があった。
【０００７】
本発明は上述の実情に鑑みてなしたもので、パイプラインの距離を最小限にする発電設備を提供することを目的としている。
【課題を解決するための手段】
【０００８】
本発明の請求項１は、ゴミ埋立地で発生するガスを発電利用する発電手段を洋上で浮遊式にし、前記発電手段をゴミ埋立地の展開に伴って移動可能に構成したことを特徴とする発電設備、に係るものである。
【０００９】
本発明の請求項２は、発電手段をゴミ埋立地の隣接位置に仮固定すると共に、発電手段とゴミ埋立地をパイプラインを介して接続した請求項１記載の発電設備、に係るものである。
【００１０】
本発明の請求項３は、発電手段を牽引もしくは自走により移動可能にした請求項１又は２記載の発電設備、に係るものである。
【００１１】
このように、本発明によれば、発電手段を洋上で浮遊式にし、且つ発電手段をゴミ埋立地の展開に伴って移動させるので、発電手段をゴミ埋立地の隣接位置に配置してパイプラインの距離を最小限にし、結果的に、パイプラインの延長を抑制して工事費用及びメンテナンス費用を低減することができる。
【００１２】
発電手段をゴミ埋立地の隣接位置に仮固定すると共に、発電手段とゴミ埋立地をパイプラインを介して接続すると、発電手段をゴミ埋立地の隣接位置に安定して配置することができると共に、パイプラインの距離の最小限化を容易にし、工事費用及びメンテナンス費用を低減することができる。
【００１３】
発電手段を牽引もしくは自走により移動可能にすると、ゴミ埋立地から生じるガスの放出量が低減した際には、発電手段を他のゴミ埋立地へ容易に移動し得るので、パイプラインの延長を抑制して工事費用及びメンテナンス費用を低減することができる。
【発明の効果】
【００１４】
以上、述べたように、本発明の発電設備によれば、発電手段をゴミ埋立地の展開に伴って移動させるので、発電手段をゴミ埋立地の隣接位置に配置してパイプラインの距離を最小限にし、結果的に、パイプラインの延長を抑制して工事費用及びメンテナンス費用を低減することができる。
【発明を実施するための最良の形態】
【００１５】
以下、本発明の実施の形態例を図面を参照しつつ説明する。
【００１６】
図１は本発明の実施の形態例の発電設備を示す概略図であり、図２と同一の符号を付した部分は同一物を表わしている。
【００１７】
本形態例の発電設備１０は、ゴミ埋立地１の地中から噴出するガスを捕集するパイプライン３と、メガフロートやバージ船等の浮揚体１１に上面の設けられる発電手段１２を備えており、発電手段１２には、パイプライン３から送給されたガスを燃焼させるボイラ（図示せず）と、ボイラの熱により発電するタービン（図示せず）とを備えている。又、パイプライン３は、緩衝手段を備えたフレキシブル管１３により発電手段１２に接続されており、発電手段１２の浮揚体１１は、ゴミ埋立地１、もしくは海底に接続された係留施設（図示せず）に連結して仮固定されている。
【００１８】
ここで、メガフロートは、船と略同様なシェル構造で構成され、所定の浮力及び強度を備えて発電手段１２を搭載している。
【００１９】
以下、本発明を実施する形態例の作用を説明する。
【００２０】
発電する際には、ゴミ埋立地１の地中から噴出したガスをパイプライン３、フレキシブル管１３を介して発電手段１２に導入し、ボイラ及びタービンにより適宜発電する。
【００２１】
又、期間の経過によりゴミ埋立地１からのガスの放出量が低下して発電に使用できない場合には、発電手段１２を他のゴミ埋立地５へ移動させる。
【００２２】
具体的には、パイプライン３と発電手段１２を接続するフレキシブル管１３を外すと共に、発電手段１２の浮揚体１１の仮固定をも外すことにより、発電手段１２の浮揚体１１をゴミ埋立地１から分離し、発電手段１２の浮揚体１１を他の船に接続して牽引し、沖合いに新たに形成された他のゴミ埋立地５の隣接位置に移動させる。ここで、浮揚体１１がバージ船の場合には自走式にしてもよい。
【００２３】
次いで、発電手段１２を、他のゴミ埋立地５もしくは係留施設（図示せず）に連結して他のゴミ埋立地５の隣接位置に仮固定し、フレキシブル管１３を介して他のゴミ埋立地５のパイプライン３ａと発電手段１２を接続し、上記と同様に、ガスをパイプライン３ａ、フレキシブル管１３を介して発電手段１２に導入し、ボイラ及びタービンにより適宜発電する。ここで、新たな他のゴミ埋立地５には、パイプライン３ａを予め敷設しておくことが好ましく、従来のゴミ埋立地１のパイプライン３は放置しても良いし、適宜撤去してもよい。
【００２４】
更に、期間の経過により、この他のゴミ埋立地５からのガスの放出量が低下して発電に使用できない場合には、発電手段１２を別のゴミ埋立地６へ移動させ、同様に発電させる。
【００２５】
このように、本形態例によれば、発電手段１２をメガフロートもしくはバージ船等の浮揚体１１により洋上で浮遊式にし、且つ発電手段１２をゴミ埋立地１の展開に伴って牽引もしくは自走により移動させるので、発電手段１２をゴミ埋立地１，５，６の隣接位置に配置してパイプライン３，３ａの距離を最小限にし、結果的に、パイプライン３，３ａの延長を抑制して工事費用及びメンテナンス費用を低減することができる。
【００２６】
発電手段１２をゴミ埋立地１，５，６の隣接位置に仮固定すると共に、発電手段１２とゴミ埋立地１，５，６をパイプライン３，３ａを介して接続すると、発電手段１２をゴミ埋立地１，５，６の隣接位置に安定して配置することができると共に、パイプライン３，３ａの距離の最小限化を容易にし、工事費用及びメンテナンス費用を低減することができる。
【００２７】
発電手段１２を牽引もしくは自走により移動可能にすると、ゴミ埋立地１，５，６から生じるガスの放出量が低減した際には、発電手段１２を他のゴミ埋立地１，５，６へ容易に移動し得るので、パイプライン３，３ａの延長を抑制して工事費用及びメンテナンス費用を低減することができる。
【００２８】
尚、本発明の発電設備は、上述の形態例にのみ限定されるものではなく、発電手段は他の構成でもよいこと、パイプラインの敷設は特に限定されるものでないこと、その他、本発明の要旨を逸脱しない範囲内において種々変更を加え得ることは勿論である。
【図面の簡単な説明】
【００２９】
【図１】本発明の発電設備を示す概略図である。
【図２】従来の発電設備を示す概略図である。
【符号の説明】
【００３０】
１    ゴミ埋立地
３    パイプライン
３ａ  パイプライン
４    発電手段
５    他のゴミ埋立地
６    別のゴミ埋立地
１２    発電手段
【図１】
2005194950.tif 000003
【図２】
2005194950.tif 000004